(57)【要約】【課題】１つのアライメントマークに対するマーク点灯用通電端子を１つとして、一方向端子型の液晶表示パネルにおいて、その１つの端子部に２つのマーク点灯用通電端子を設けるだけで、パネル面内の対角位置に配置されている２つのアライメントマークを点灯可能とする。【解決手段】端子部１３１を１つしか持たない一方向端子型の液晶表示パネル１０において、一方の透明電極基板側の非表示領域Ｂに、他方の透明電極基板側の非表示領域Ｂに形成されている引き回し配線１１４，１１５を対向電極とする透明電極からなるアライメントマーク１３４，１３７を形成し、端子部１３１に上記アライメントマーク１３４，１３７に対する２つのマーク点灯用通電端子１３６，１３９を設ける。【選択図】    図１
2004151415.tif 000002
【特許請求の範囲】
【請求項１】
端子部を有する第１透明電極基板と、端子部を持たない第２透明電極基板とを周辺シール材を介して圧着し、その基板間に所定の液晶を封入してなり、上記端子部に、上記第１透明電極基板の表示電極に直接的に連なる第１リード部と、上記第２透明電極基板用の第２リード部とが形成され、上記第２透明電極基板側の表示電極が、上記周辺シール材にて囲まれたパネル面内の非表示領域に形成されている引き回し配線および上記周辺シール材に含まれているトランスファ手段を介して上記第２リード部に電気的に接続されている液晶表示パネルにおいて、
上記第１透明電極基板側の非表示領域に、上記第２透明電極基板側の上記引き回し配線を対向電極とする透明電極からなるアライメントマークが形成されているとともに、上記端子部には、上記アライメントマークに対するマーク点灯用通電端子が形成されていることを特徴とする液晶表示パネル。
【請求項２】
上記液晶がカイラルネマチック液晶であり、上記引き回し配線の線間幅が７〜１５μｍである請求項１に記載の液晶表示パネル。
【請求項３】
上記アライメントマークが上記パネル面内の対角位置の２箇所に配置されている請求項１または２に記載の液晶表示パネル。
【発明の詳細な説明】
【０００１】
【発明の属する技術分野】
本発明は、液晶表示パネルに関し、さらに詳しく言えば、カイラルネマチック液晶を有する液晶表示パネルに好適であって、そのパネル貼り合わせ時に点灯表示されるアライメントマークに関するものである。
【０００２】
【従来の技術】
近年、メモリ性を有する液晶表示素子として、ネマチック液晶にカイラル材を添加することにより、室温においてコレステリック相を形成するカイラルネマチック液晶を利用した液晶表示素子が注目されている。
【０００３】
この液晶表示素子は、電圧無印加においてフォーカルコニック状態とプレナー状態との安定状態を維持するメモリー機能を有している。また、このカイラルネマチック液晶では、電圧の印加の仕方によって液晶層をフォーカルコニック状態とプレナー状態とに変化させて表示を行なう。プレナー状態においては、液晶分子が螺旋構造をもち、螺旋のねじれ方向に一致する円偏光成分でコレステリック相の平均屈折率と螺旋ピッチとの積に相当する波長を選択的に反射させる。
【０００４】
このカイラルネマチック液晶を有する液晶表示素子によれば、液晶のピッチを変化させてＲ，Ｇ，Ｂ各色の選択反射をもつ３枚の液晶表示パネルを作製し、これらを積層することによりフルカラー表示を得ることができる。また、フルカラー表示ではないが、２枚の液晶表示パネルを積層することにより、マルチカラー表示も可能である。
【０００５】
いずれにしても、この液晶表示パネルの積層（貼り合わせ）にあたっては、表示色が混色したり表示状態が悪くならないように、各液晶表示パネルの表示パターンを精密に位置合わせすることが要求される。
【０００６】
２枚以上の液晶表示パネルの位置合わせ技術の一つとして、パネルの外形寸法を基準とした端面照合によるアライメント方法が知られているが、一般的にパネルの外形寸法の公差は±０．２ｍｍ以内とされているため、これでは上記のような高精度の位置合わせは保証されない。
【０００７】
別の方法として、各液晶表示パネルの端子部やパネル面内に位置合わせ用のアライメントマークを設けて位置合わせする方法があるが、端子部にアライメントマークを設ける方法については、パネル形状によっては端子部相互を重ね合わせることができない場合がある。
【０００８】
これに対して、パネル面内に位置合わせ用のアライメントマークを設ければ、アライメントマーク同士を重ねることができるが、液晶としてカイラルネマチック液晶や高分子分散型液晶のように電圧無印加の状態で選択反射や散乱性を示すものが用いられる場合には、パネル面内のアライメントマークが見えず重ね合わせが行えなくなる。
【０００９】
本出願人は、この点を解決するため、すなわちカイラルネマチック液晶を利用した液晶表示パネルにおいても、パネル面内に形成したアライメントマークを視認可能とするための発明を先に下記特許文献１として出願している。
【００１０】
この特許文献１に記載の発明は、少なくとも２枚の液晶表示パネルを接着剤を介して貼り合わせるにあたって、各液晶表示パネルごとに、そのパネル面内の非表示領域に透明電極からなるアライメントマークを設けるとともに、端子部にそのアライメントマークに対して通電するマーク点灯用通電端子を形成し、そのマーク点灯用通電端子に所定の電圧を印加してアライメントマークを点灯させて、各液晶表示パネルを位置合わせすることを特徴としている。
【００１１】
【特許文献１】
特願２００１−０９９６１８
【００１２】
【発明が解決しようとする課題】
通常、この種のアライメントマークはパネルの対角位置の２箇所に設けられるため、アライメントマークへのマーク点灯用通電端子は４つ必要となる。すなわち、１つのアライメントマークが２つの対向電極の組み合わせよりなるからである。
【００１３】
上記特許文献１に記載の発明は、液晶表示パネルを構成する２枚の透明電極基板の各々に端子部を有する、いわゆる２方向端子型の場合には有効である。すなわち、一方の端部と他方の端子部にそれぞれ２つのマーク点灯用通電端子を形成すればよいため、マーク点灯用通電端子を設けることによる端子部のスペース的な負担が少なくて済むからである。
【００１４】
しかしながら、液晶表示パネルが、一方の透明電極基板のみに端子部が設けられ、他方の透明電極基板の表示電極がトランスファ材を介して上記端子部のリード部と電気的に接続されるような一方向端子型の場合になると、その１つの端子部に各透明電極基板の表示電極に対するリード電極に加えて、アライメントマーク点灯用の４つのマーク点灯用通電端子を形成しなければならず、設計上かなりの無理が生ずることになる。
【００１５】
したがって、本発明の課題は、１つのアライメントマークに対するマーク点灯用通電端子を１つとして、一方向端子型の液晶表示パネルにおいて、その１つの端子部に２つのマーク点灯用通電端子を設けるだけで、パネル面内の対角位置に配置されている２つのアライメントマークを点灯可能とすることにある。
【００１６】
【課題を解決するための手段】
上記課題を解決するため、本発明は、端子部を有する第１透明電極基板と、端子部を持たない第２透明電極基板とを周辺シール材を介して圧着し、その基板間に所定の液晶を封入してなり、上記端子部に、上記第１透明電極基板の表示電極に直接的に連なる第１リード部と、上記第２透明電極基板用の第２リード部とが形成され、上記第２透明電極基板側の表示電極が、上記周辺シール材にて囲まれたパネル面内の非表示領域に形成されている引き回し配線および上記周辺シール材に含まれているトランスファ手段を介して上記第２リード部に電気的に接続されている液晶表示パネルにおいて、上記第１透明電極基板側の非表示領域に、上記第２透明電極基板側の上記引き回し配線を対向電極とする透明電極からなるアライメントマークが形成されているとともに、上記端子部には、上記アライメントマークに対するマーク点灯用通電端子が形成されていることを特徴としている。
【００１７】
この構成によれば、アライメントマークの対向電極が相手方基板に形成されている表示電極の引き回し配線であるため、アライメントマークの対向電極については特にマーク点灯用通電端子を設ける必要がない。したがって、アライメントマークをパネル面内の対角位置の２箇所に設ける場合には、端子部にアライメントマークに対するマーク点灯用通電端子を２つだけ形成すればよいことになる。
【００１８】
液晶としてカイラルネマチック液晶が用いられる場合、カイラルネマチック液晶では回り込み電界によって線間の液晶を動作させるため、上記引き回し配線の線間幅は７〜１５μｍであることが好ましい（より好ましくは１０μｍ以内）。
【００１９】
また、液晶としてカイラルネマチック液晶が用いられる場合には、マーク点灯用端子にカイラルネマチック液晶がプレナー状態となる所定の電圧を印加することにより、アライメントマークがプレナーの選択反射により表示される。
【００２０】
各液晶パネルごとに、選択反射の中心波長が異なるカイラルネマチック液晶が用いられることが好ましく、これによれば、各液晶表示パネルのアライメントマークが異なった色で表示されるため、位置合わせがより行ないやすくなる。
【００２１】
また、マーク点灯用通電端子に、カイラルネマチック液晶がホメオトロピック状態となる所定の電圧を印加するようにすれば、液晶層に散乱性がなく、アライメントマークの形状を明確に観察することができるようになる。
【００２２】
【発明の実施の形態】
次に、図面を参照しながら、本発明の実施形態について説明する。図１に本発明による液晶表示パネル１０の平面図を模式的に示すが、この液晶表示パネル１０は、図２に示す第１透明電極基板１１０と、図３に示す第２透明電極基板１３０とを備えている。
【００２３】
この例において、第１透明電極基板１１０がコモン側基板、第２透明電極基板１３０がセグメント側基板で、表示形態はフルドットマトリクス表示である。コモン側基板１１０には端子部がなく、セグメント側基板１３０のみに端子部１３１が設けられている。各基板１１０，１３０は、ガラス基板もしくはプラスチック基板のいずれであってもよい。
【００２４】
コモン側基板１１０とセグメント側基板１３０は、図２に想像線で示す位置に塗布される周辺シール材１０１を介して互いに圧着される。各基板１１０，１３０ともに、その周辺シール材１０１にて囲まれた内部がパネル面内である。
【００２５】
コモン側基板１１０のパネル面内には、透明電極からなるコモン電極１１１が例えばＸ軸方向（紙面横方向）に沿ってストライプ状に形成されており、また、セグメント側基板１３０のパネル面内にも、透明電極からなるセグメント電極１３２がＹ軸方向（紙面縦方向）に沿ってストライプ状に形成されている。
【００２６】
コモン電極１１１とセグメント電極１３２とが対向して多数の表示ドットを形成している領域が図１に示す表示領域Ａで、この表示領域Ａと周辺シール材１０１との間が非表示領域Ｂである。
【００２７】
セグメント側基板１３０の端子部１３１には、セグメント電極１３２から直接的に引き出された第１リード部１３３が形成されており、この第１リード部１３２の両側にはコモン電極用の第２リード部１１２，１１３が形成されている。
【００２８】
図２のコモン側基板１１０において、表示領域Ａの両側に存在する非表示領域ＢＣ１，ＢＣ２には、コモン電極１１１の引き回し配線１１４，１１５がそれぞれ形成されている。この場合、コモン電極１１１を上下の２つの群に分けたとして、一方の引き回し配線１１４は上側の群から引き出され、他方の引き回し配線１１５は下側の群から引き出されている。
【００２９】
この引き回し配線１１４，１１５は、基板１１０，１３０の圧着時に、トランスファ材１１６，１１７を介して第２リード部１１２，１１３に電気的に接続される。このトランスファ材１１６，１１７には、通常、周辺シール材１０１内に混練された導電性ビーズが用いられるが、周辺シール材１０１とは別に、導電性ビーズを含む樹脂をトランスファ部分のみに塗布するようにしてもよい。
【００３０】
図３のセグメント側基板１３０において、コモン側基板１１０の非表示領域ＢＣ１，ＢＣ２と対向する非表示領域ＢＳ１，ＢＳ２には、アライメントマーク１３４，１３７がそれぞれ形成されている。このアライメントマーク１３４，１３７はともに透明電極材よりなり、パネル面内の対角位置の２箇所に配置されている。この例において、一方の第１アライメントマーク１３４は「円形ドット」形状で、他方の第２アライメントマーク１３７は円形ドットに合致する「蛇の目」形状である。
【００３１】
第１アライメントマーク１３４は、非表示領域ＢＳ１を通って端子部１３１に至るマーク点灯用引き回し配線１３５を備え、このマーク点灯用引き回し配線１３５の端部には、マーク点灯用通電端子１３６が形成されている。同じく、第２アライメントマーク１３７も、非表示領域ＢＳ２を通って端子部１３１に至るマーク点灯用引き回し配線１３８を備え、このマーク点灯用引き回し配線１３８の端部にも、マーク点灯用通電端子１３９が形成されている。これらアライメントマーク１３４，マーク点灯用引き回し配線１３５，１３８およびマーク点灯用通電端子１３６，１３９は、セグメント電極１３２と同時に形成することができる。
【００３２】
第１アライメントマーク１３４の対向電極は、コモン側基板１１０に形成されている一方の引き回し配線１１４で、第２アライメントマーク１３７の対向電極は、コモン側基板１１０に形成されている他方の引き回し配線１１５であり、その重ね合って対向する状態を図４（ａ），（ｂ）にそれぞれ示す。
【００３３】
この液晶表示パネル１０に用いられる液晶がカイラルネマチック液晶である場合、カイラルネマチック液晶では回り込み電界によって線間の液晶を動作させることができるため、アライメントマーク１３４，１３７をその形状どおり点灯させるには、引き回し配線１１４，１１５の線間幅Ｗａは７〜１５μｍであることが好ましい。
【００３４】
実際の例として、すべての引き回し配線１１４，１１５の線幅Ｗｂを７０μｍで統一し、その線間幅Ｗａを７μｍ，１０μｍとして点灯させたたところ、アライメントマーク１３４，１３７をその形状どおり点灯させることができた。また、線間幅Ｗａを１５μｍまで広げた場合には、線間部に薄い線が認められたが、概ねアライメントマーク１３４，１３７の形状を認識することができた。
【００３５】
さらに、線間幅Ｗａを２０μｍ，３０μｍと広げたところ、線間の液晶が完全に動作せず、アライメントマーク１３４，１３７を良好な状態で点灯させることができなかった。したがって、線間幅Ｗａの好ましい範囲は７〜１５μｍ，より好ましくは１０μｍ以内である。また、アライメントマークが円形の場合、視認のしやすさから、その外径は０．３ｍｍ以上が好ましい。
【００３６】
この液晶表示パネル１０を作製するには、まず、ガラス基板もしくはプラスチック基板に透明導電膜を成膜した後、フォトリソ法にて、コモン側基板１１０については、コモン電極１１１およびその引き回し配線１１４，１１５を形成し、セグメント側基板１３０については、セグメント電極１３２，アライメントマーク１３４，１３７およびマーク点灯用引き回し配線１３５，１３８，第１リード部１３３および第２リード部１１２，１１３それにマーク点灯用通電端子１３６，１３９を形成する。
【００３７】
そして、コモン側基板１１０およびセグメント側基板１３０の各々に、絶縁膜，配向制御膜を形成した後、導電性ビーズを含む周辺シール材１０１をいずれか一方の基板に塗布し、パネル面内にギャップ保持用の好ましくはプラスチック製の面内スペーサを散布し、コモン側基板１１０とセグメント側基板１３０とを周辺シール材１０１を介して圧着して、そのセルギャップ内に選択反射を持つメモリ性液晶（例えばカイラルネマチック液晶）を注入して封止する。
【００３８】
この液晶表示パネル１０によれば、マーク点灯用通電端子１３６，１３９と第２リード部１１２，１１３との間に所定の電圧を印加することにより、アライメントマーク１３４，１３７を点灯させることができる。
【００３９】
次に、図５を参照して、上記液晶表示パネル１０と同一であるもう１枚の液晶表示パネル２０を作製し、これらをアライメントマーク１３４，１３７を点灯させて貼り合わせる場合の具体的な一実施例について説明する。
【００４０】
なお、各パネルともにサイズは対角３インチで、一方の第１液晶表示パネル１０には選択反射の中心波長が５０５ｎｍ（青色）のカイラルネマチック液晶を用い、他方の第２液晶表示パネル２０には選択反射の中心波長が６５０ｎｍ（オレンジ）のカイラルネマチック液晶を用いた。また、第１アライメントマーク（円形ドット）１３４の外径は０．５ｍｍとし、第２アライメントマーク（蛇の目）１３７の外径は１．０ｍｍ，内径は０．６ｍｍとした。
【００４１】
まず、第２液晶表示パネル２０の貼り合わせ面に、ロックタイト社製で２．５〜３．５ｐａの粘度を有する２液性エポキシ樹脂からなる接着剤（ＨＬ４２１０Ｊ２，Δｎ＝１．５２）をスクリーン印刷法により、その全面にわたって塗布した。また、パネル面外の四隅に、仮止め用のＵＶ硬化樹脂（ロックタイト３７５１）をディスペンサにて０．０１ｇ塗布した。
【００４２】
そして、第１液晶表示パネル１０と第２液晶表示パネル２０とを、図５に示すように、それらの各端子部１３１，１３１が反対側に位置するように配置し、真空度０．０１Ｔｏｒｒの真空内で合わせ面に泡が発生しないようにして重ね合わせた。
【００４３】
その際、液晶表示パネル１０，２０の各マーク点灯用通電端子１３６，１３９と第２リード部１１２，１１３との間に１０Ｖの電圧を印加してアライメントマーク１３４，１３７を点灯させ、その点灯マークをＣＣＤカメラでモニタリングしながら、円形ドット状の第１アライメントマーク１３４が蛇の目状の第２アライメントマーク１３７内に納まるように位置合わせした後、仮止め用のＵＶ硬化樹脂に対して、ＵＶ照射器によりスポット的に紫外線を照射して硬化させた。
【００４４】
しかる後、この積層パネルを１００℃の雰囲気内で２時間加熱して、上記２液性エポキシ樹脂からなる接着剤を硬化させた。表示を観察したところ、パターンずれのない良好な多色表示が得られた。
【００４５】
なお、３枚の液晶パネルを貼り合わせることも可能である。その場合、３枚の液晶パネルを同時に貼り合わせる方法と、先に２枚の液晶パネルを貼り合わせ、その後に３枚目の液晶パネルを貼り合わせる方法の２通りがあるが、アライメントマークの観察が容易なのは後者の方法である。
【００４６】
図６に、３枚の液晶パネルの貼り合わせに適用されるアライメントマークの形状の２例を表形式にて示す。上段に記載のマークは、典型的な円形の嵌合組み合わせからなり、単純な形状で設計しやすいと言う利点はあるが、全体のサイズが大きくなることは否めない。
【００４７】
これに対して、下段に記載のマークははめ込みパズル形式で、一定の面積内に３つのマークを組み込むため、全体のサイズ大きくすることなく作成できる。したがって、非表示領域の小さなパネルに対して有効である。
【００４８】
上記の実施形態では、主にカイラルネマチック液晶を利用した液晶表示パネルについて説明されているが、本発明には、これに限定されるものではなく、使用する液晶はＴＮ液晶などであってもよい。また、コモン側基板１１０に端子部を持たせ、セグメント側基板１３０は端子部なしの構成としてもよい。
【００４９】
【発明の効果】
以上説明したように、本発明によれば、一方向端子型の液晶表示パネルにおいて、一方の透明電極基板側の非表示領域に、他方の透明電極基板側の非表示領域に形成されている引き回し配線を対向電極とする透明電極からなるアライメントマークを形成したことにより、１つのアライメントマークに対するマーク点灯用通電端子を１つとすることができ、したがって、一方向端子型の液晶表示パネルにおいて、その１つの端子部に２つのマーク点灯用通電端子を設けるだけで、パネル面内の対角位置に配置されている２つのアライメントマークを点灯させることができる。
【図面の簡単な説明】
【図１】本発明による液晶表示パネルの構成を模式的に示す平面図。
【図２】上記液晶表示パネルに含まれている第１透明電極基板を模式的に示す平面図。
【図３】上記液晶表示パネルに含まれている第２透明電極基板を模式的に示す平面図。
【図４】上記液晶表示パネルにおいて、アライメントマークとその対向電極である引き回し配線とを重ね合わせた状態で示す模式図。
【図５】本発明による２枚の液晶表示パネルを積層した状態を示す模式的な平面図。
【図６】３枚の液晶パネルの貼り合わせに適用されるアライメントマークの２例を表形式で記載した説明図。
【符号の説明】
１０，２０  液晶パネル
１０１  周辺シール材
１１０  第１透明電極基板（コモン側基板）
１１１  コモン電極
１１２，１１３  第２リード部
１１４，１１５  引き回し配線
１１６，１１７  トランスファ材
１３０  第２透明電極基板（セグメント側基板）
１３１  端子部
１３２  セグメント電極
１３３  第１リード部
１３４，１３７  アライメントマーク
１３５，１３８  マーク点灯用引き回し配線
１３６，１３９  マーク点灯用通電端子
【図１】
2004151415.tif 000003
【図２】
2004151415.tif 000004
【図３】
2004151415.tif 000005
【図４】
2004151415.tif 000006
【図５】
2004151415.tif 000007
【図６】
2004151415.tif 000008